(57)【要約】      （修正有）【課題】乗り心地もよく、安全性に優れた立ち漕ぎ式自転車のぺダリング駆動装置を提供する。【解決手段】本立ち漕ぎ式自転車のペダリング駆動装置は、第一、第二クランクが設置される第一、第二回転軸の位置に、それぞれ駆動チェーンホイールが設置され、前記二個の駆動チェーンホイール間には、さらに、駆動ベルトが設置されることにより相互に同時に回転を保持することで構成される。これにより、前記第一、第二クランク他端の間に軸接続される左、右のペダルが両足でぺダリングされ、それぞれ第一、第二クランクを介して第一、第二回転軸を動かして回転させると、前記両駆動チェーンホイールと駆動ベルトが組み合わさって、前記第一、第二回転軸と第一、第二クランクは、確実に同時に回転することによって、左、右のペダルが楕円形の軌跡に沿って回転してスムーズな動きをして、使用者がぺダリングの操作をする際に確実にスムーズに、乗り心地よく、安全性に優れた効果を達成する。【選択図】図２
0003170287.tif 000002
【実用新案登録請求の範囲】
【請求項１】
車体ベース、前輪、操縦ステム、後輪、第一回転軸、第二回転軸、第一クランク、第二クランク、ペダル、伝導チェーンホイール及び伝動ベルト等のパーツを備え、
このうち、第一回転軸と第二回転軸とは、前、後輪の間の車体ベースの位置に軸接続され、第一クランク、第二クランクの一端は、それぞれ第一回転軸と第二回転軸の両端に設置されて、第一クランク、第二クランクの他端は、それぞれペダルの前、後両端に軸接続され、
第一回転軸と第二回転軸との位置に、それぞれ駆動チェーンホイールが設置され、二つの駆動チェーンホイールの間には、駆動ベルトが設置されて同時回転を保持することを特徴とする立ち漕ぎ式自転車のぺダリング駆動装置。
【請求項２】
前記ペダルの一端は、枢軸を介して第一クランクまたは第二クランクに軸接続され、
他端には、スライド槽が設置されて第二クランクまたは第一クランクの枢軸に対応してスライド設置されることを特徴とする請求項１に記載の立ち漕ぎ式自転車のぺダリング駆動装置。
【請求項３】
前記ペダルのスライド槽に対応する第一クランクまたは第二クランクは、さらに、数個の異なる位置に定位穴が設置されて枢軸を固定するのに用いられることを特徴とする請求項２に記載の立ち漕ぎ式自転車のぺダリング駆動装置。
【考案の詳細な説明】
【技術分野】
【０００１】
本考案は、立ち漕ぎ式自転車のペダリング駆動装置に関する。特に、構造がシンプルで経済性に優れ、使用方法が簡単で、便利な上、立ち漕ぎ式自転車のペダリング操作が極めてスムーズであり、乗り心地が良く、安全性も高いため、実用性、理想性、進歩性を併せ持つ立ち漕ぎ式自転車のペダリング駆動装置に関する。
【背景技術】
【０００２】
従来の立ち漕ぎ式自転車の構造は、おおよそ図１に示したとおりである。従来の立ち漕ぎ式自転車は、車体ベース10の前端に、前部ポスト101によってフロントフォーク102が軸接続されて、フロントフォーク102下端には前輪11が、上端には操縦ステム12とハンドル121が設置されることで、前輪11の進行方向をコントロールする。車体ベース10後端には、後輪13が軸接続される。前、後輪11、13間の車体ベース10上には、適当な間隔で第一回転軸14及び第二回転軸15が設置されて、第一、第二回転軸14、15両端には、それぞれ対応する方向に配置される第一クランク16と第二クランク17が設置される。前記第一、第二クランク16、17の他端は、さらに、それぞれ枢軸161、171を介してペダル18の前、後端に軸接続されることにより、ペダル18が力を受けると、第一、第二クランク16、17が同時に作動する。また、第二回転軸15と後輪回転軸131の位置には、それぞれ伝導チェーンホイール19、20が設置される。前記二個の伝導チェーンホイール19、20の間には、さらに、伝動ベルト21が設置されて、ペダル18を踏むことで、第一、第二クランク16、17が、それぞれ第一、第二回転軸14、15を回転ポイントとして回転する時、前記回転する第二回転軸15と同軸の伝導チェーンホイール19が、伝動ベルト21を介して後輪回転軸131上の伝導チェーンホイール20を動かして回転させた後、後輪13が共に回転して、前輪11と共に車体を移動させる。使用時には、使用者が両足で左、右のペダル18の上に立って、交互にぺダリングの動作を行なう。第一、第二クランク16、17は、それぞれ一端が第一、第二回転軸14、15に、他端が枢軸161、171によってペダル18の前、後両端に軸接続されているため、ペダル18に力が加わってぺダリングされた時、第一、第二回転軸14、15を回転ポイントとし、第一、第二クランク16が半径となって楕円の軌跡を描いて回転する。同時に、前記回転する第二回転軸15もまた、伝導チェーンホイール19、20と伝動ベルト21を介して後輪13を動かし回転させて車体を移動させることで、立ち漕ぎ式で自転車を走行させる目的を果たす。
【０００３】
上述の方式によると、確実に立ち漕ぎ式で自転車を走行させる目的を達成できるものの、実際の際には、やはり若干の欠点を有する。つまり、前記第一、第二クランク16、17が、第一、第二回転軸14、15を回転ポイントとして楕円形の軌跡を描いて回転動作を行なうということは、ぺダリングの力を受けるペダル18によって、それぞれ前、後両端の枢軸161、171に力を与えてこれを達成する。しかしながら、騎乗者が、両足で立った状態で交互に左、右のペダル18を踏む力は、前、後の両枢軸161、171に平均に加えることは絶対に無理であり、ペダル18の楕円形を描く回転の軌跡は、随時異なる角度、力でペダル18の対応する位置に加えられることは明らかである。このため、ペダル18と第一、第二クランク16、17が水平に回転して一直線に対応する時、往々にしてぺダリングの力が平均に前、後の枢軸161、171に加えられることがないため、第一、第二クランク16、17の回転がスムーズにいかなくなる現象が生じる。特に、互いに、水平に一直線になる左、右のペダル18が静止状態になる時、前記続いて行なわれるぺダリング動作は、さらに第一、第二クランク16、17に引っ掛かりが生じて、使用者の走行時の操作のスムーズさを欠いたり、乗り心地がよくなかったりするほか、安全性にも影響する可能性がある。
【考案の概要】
【考案が解決しようとする課題】
【０００４】
したがって、本考案は、従来の技術を改良して、立ち漕ぎ式自転車のぺダリング操作がスムーズに行なえ、乗り心地もよく、安全性に優れた立ち漕ぎ式自転車のぺダリング駆動装置を提供することを課題とする。
【課題を解決するための手段】
【０００５】
上記課題を解決するために、本考案の立ち漕ぎ式自転車のペダリング駆動装置は、第一、第二クランクが設置される第一、第二回転軸の位置に、それぞれ駆動チェーンホイールが設置され、前記二個の駆動チェーンホイール間には、さらに、駆動ベルトが設置されることにより相互に同時に回転を保持することで構成される。これにより、前記第一、第二クランク他端の間に軸接続される左、右のペダルが両足でぺダリングされて、それぞれ第一、第二クランクを介して第一、第二回転軸を動かして回転させると、前記両駆動チェーンホイールと駆動ベルトが組み合わさって、前記第一、第二回転軸と第一、第二クランクは、確実に同時に回転することによって、左、右のペダルが楕円形の軌跡に沿って回転してスムーズな動きをして、使用者がぺダリングの操作をする際に確実にスムーズに、乗り心地よく、安全性に優れた効果を達成する。
【考案の効果】
【０００６】
本考案は、立ち漕ぎ式自転車のぺダリング操作がスムーズに行なえ、乗り心地もよく、安全性に優れた立ち漕ぎ式自転車のペダリング駆動装置を提供できる。
【図面の簡単な説明】
【０００７】
【図１】従来の立ち漕ぎ式自転車を示した平面図である。
【図２】本考案の実施形態を示した平面図である。
【図３】図２の実施形態の動作時の状態を示した平面図である。
【図４】本考案の第二実施形態を示した平面図である。
【図５】本考案の第三実施形態を示した平面図である。
【図６】本考案の第四実施形態を示した平面図である。
【符号の説明】
【０００８】
10        車体ベース
101        前部ポスト  
102        フロントフォーク
11        前輪
12        操縦ステム
121        ハンドル
13        後輪
131        後輪回転軸
14        第一回転軸
15        第二回転軸
16        第一クランク
160        定位穴
161        枢軸
17        第二クランク
170        定位穴
171        枢軸
18        ペダル
181        スライド槽
19        伝導チェーンホイール
20        伝導チェーンホイール
21        伝動ベルト
30        駆動チェーンホイール
31        駆動チェーンホイール
32        駆動ベルト
【考案を実施するための形態】
【０００９】
以下、図２、図３を参照しながら、本考案の立ち漕ぎ式自転車のペダリング駆動装置について説明する。本考案の立ち漕ぎ式自転車のペダリング駆動装置は、車体ベース10、前輪11、操縦ステム12、後輪13、第一回転軸14、第二回転軸15、第一クランク16、第二クランク17、ペダル18、伝導チェーンホイール19、20及び伝動ベルト21等のパーツを備える。前記パーツの構造及び相互の接続、連結関係は従来の技術と同様であるため、ここでは再述しない。本考案における主な改良点は、第一回転軸14と第二回転軸15の位置に、それぞれ駆動チェーンホイール30、31が設置されて、二個の駆動チェーンホイール30、31間には、さらに、駆動ベルト32が連結されることで同時回転を保持するという点である。
【００１０】
上述の構成によって、本考案は、両足で交互に第一クランク16、第二クランク17に軸接続された左、右ペダル18を踏むことにより、第一、第二クランク16、17が、それぞれ  第一回転軸14、第二回転軸15を回転ポイントとして、ペダル18が楕円形の軌跡に沿って回転すると、前記それぞれ第一、第二回転軸14、15上の駆動チェーンホイール30、31が、それに伴って回転して、駆動ベルト32の連動作用によって随時同時回転を保持して、前記それぞれ第一、第二回転14、15に設置される第一、第二クランク16、17もまた同時回転動作を行って、前記ペダル18が随時第一、第二クランク16、17が同時に駆動される状態になる。この状態下では、それが楕円形の軌跡に沿って回転する動作が自然、かつ、確実に滞ることなくスムーズになり、操作者のぺダリング操作もまたスムーズに、乗り心地よく、安全性も高くなる。
【００１１】
すなわち、前記第一、第二回転軸14、15及び第一、第二クランク16、17は、二個の駆動チェーンホイール30、31と駆動ベルト32の組合せ動作により、同時に回転するため、前記第一、第二クランク16、17に軸接続されるペダル18は、いかなる位置にあっても、ぺダリングの際の力を受けて、第一、第二クランク16、17を同時に回転させて干渉し合うことがなく、前記ペダル18は、自然、かつスムーズに楕円形の軌跡に沿って回転動作が行なえる。操作者は、確実にペダル操作がスムーズに行なえ、乗り心地よく、安全性に優れるという効果が達成できる。
【００１２】
さらに、図４を参照しながら説明する。前記ペダル18は、さらに、一端がスライド槽181に設置されて、対応する第一クランク16または第二クランク17に抵触して接続される。さらに、前記対応する第一クランク16または第二クランク17には、異なる位置の複数の定位穴160、170が設置されて枢軸161、171を固定するのに用いられて、前記枢軸161または171が、スライド槽181内にスライドして設置される。
図２、図３、図５、図６を合わせて参照しながら説明する。ペダル18の一端が、枢軸171を介して第二クランク17に軸接続されると、前記第一クランク16の枢軸161は、異なる位置の定位穴160を選択して軸接続されて、ペダルのスライド槽181にスライド接続された後、第一回転軸14からペダル18までの距離を調整して、第二回転軸15からペダル18までの距離を、同一または異なるように形成することが可能である。これにより、使用者は両足で交互に左、右のペダル18を踏む時、前記左、右のペダル18の、第一回転軸14からペダル18までの距離は、異なる形態の楕円形の軌跡による回転を行なって、変化に富み、多様性を有し、面白みのあるぺダリング動作が可能となる。逆に、図４に示したように、ペダル18の一端が、枢軸161を介して第一クランク16に軸接続された時、前記第二クランク17の枢軸171は、異なる位置の定位穴170を選択して軸接続されて、ペダルのスライド槽181にスライド接続された後、第二回転軸15からペダル18までの距離を調整して、第一回転軸14からペダル18までの距離を、同一または異なるように形成することが可能である。これにより、交互に踏まれる左、右のペダル18は、異なる楕円形の軌跡による回転を行なって、立ち漕ぎ式の自転車のぺダリング動作が確実に多様性を有し、変化に富み、面白みを持つという効果を達成する。
【００１３】
当然、二個の駆動チェーンホイール30、31と駆動ベルト32の伝導効果により、前記第一、第二クランク16、17は、随時、同時回転を保持し、よって、前述の左、右のペダル18が交互に楕円形の軌跡に沿って回転すると、前記スライド槽181内の枢軸161または171は、スライド槽181のスライド効果に合わせて、ペダル18のぺダリングの回転を妨げることがなく、ペダル18のぺダリング操作は、確実にスムーズに、乗り心地よく、安全性も高くなる。
【００１４】
つまり、本考案には、少なくとも以下のような長所がある。
１．構造がシンプルで経済性に優れている上、操作が簡単で便利である。
２．立ち漕ぎ式自転車のペダル操作がスムーズで、乗り心地が良く、安全性が高い。
３．立ち漕ぎ式自転車のペダル操作にバリエーションが生まれ、多様性及び面白み
が加わる。
【図１】
0003170287.tif 000003
【図２】
0003170287.tif 000004
【図３】
0003170287.tif 000005
【図４】
0003170287.tif 000006
【図５】
0003170287.tif 000007
【図６】
0003170287.tif 000008